(57)【要約】【課題】出力後の仕分けの手間が抑えられるように、ページ出力装置におけるページ出力を制御するページ出力制御装置、およびページ出力制御プログラムを提供する。【解決手段】一連のページからなるページ群を取得するページ群取得部６１０と、そのページ群を１部とする第１の部数と、その第１の部数よりも少ない第２の部数とを指定する出力条件設定部６２０と、プリンタに上記のページ群を第１の部数だけ出力させるとともに、そのプリンタに、何も記録されていない用紙を第２の部数毎に挿入して第１の部数だけ出力させる出力制御部６３０とを備えた。【選択図】        図４
2006323584.tif 000002
【特許請求の範囲】
【請求項１】
一連のページからなるページ群を取得するページ群取得部と、
前記ページ群を１部とする第１の部数と、該第１の部数よりも少ない第２の部数とを指定する部数指定部と、
ページを用紙上に記録して出力するページ出力装置に前記ページ群を前記第１の部数だけ出力させるとともに、該ページ出力装置に、何も記録されていない用紙を前記第２の部数毎に挿入して前記第１の部数だけ出力させる出力制御部とを備えたことを特徴とするページ出力制御装置。
【請求項２】
前記出力制御部が、複数種類の用紙を有するページ出力装置を制御するものであって、そのページ出力装置に、前記第２の部数毎に挿入する用紙として、前記ページ群のページを記録する用紙とは異なる種類の用紙を使用させるものであることを特徴とする請求項１記載のページ出力制御装置。
【請求項３】
前記出力制御部が、前記第２の部数毎の用紙の挿入に加えて、何も記録されていない用紙を１部毎にも挿入させるものであることを特徴とする請求項１記載のページ出力制御装置。
【請求項４】
コンピュータに組み込まれ、該コンピュータ上で、
一連のページからなるページ群を取得するページ群取得部と、
前記ページ群を１部とする第１の部数と、該第１の部数よりも少ない第２の部数とを指定する部数指定部と、
ページを用紙上に記録して出力するページ出力装置に前記ページ群を前記第１の部数だけ出力させるとともに、該ページ出力装置に、何も記録されていない用紙を前記第２の部数毎に挿入して前記第１の部数だけ出力させる出力制御部とを構築することを特徴とするページ出力制御プログラム。
【発明の詳細な説明】
【技術分野】
【０００１】
本発明は、ページを用紙上に記録して出力するページ出力装置におけるページ出力を制御するページ出力制御装置、および、コンピュータをそのようなページ出力制御装置として動作させるページ出力制御プログラムに関する。
【背景技術】
【０００２】
近年では、印刷分野も電子化が進んでおり、編集者が印刷物のページを編集用のコンピュータ上で編集し、そのページ上における文字や写真などの配置位置が確定された状態のページの画像を表した画像データを原稿として用いるという形態が普及している。また、このような電子化に伴い、必要な時に必要な画像を即座に印刷することができる、いわゆるオンデマンド印刷が実現されている。
【０００３】
オンデマンド印刷では、１部が複数ページで構成される印刷物を複数部作成するときに、各ページを順次に出力し、その出力作業を必要な部数だけ繰り返すといういわゆる丁合出力が可能である。このような丁合出力の際には、多くの場合、ページ出力装置からは、ページは単純に積み重ねられて出力される。そこで、各部の区切りを明確にして出力後の印刷物の仕分け作業の便を図るため、ページ出力時に、１部毎に印刷物とは別の用紙を挿入して出力するといういわゆる合紙挿入が提案されている（例えば、特許文献１参照。）。
【特許文献１】特開２００２−１７９２６８号公報
【発明の開示】
【発明が解決しようとする課題】
【０００４】
ところで、印刷物は梱包や配送の都合などにより、しばしばいくつかのグループに分けられる。このようなグループ分けに上記の合紙挿入の技術は有効であるが、各グループの必要部数が多いと、各部毎に挿入されている合紙を数えて必要部数を仕分けるだけでも作業者にとっての大きな負担となる。
【０００５】
本発明は、上記事情に鑑み、出力後の仕分けの手間が抑えられるように、ページ出力装置におけるページ出力を制御するページ出力制御装置、および、コンピュータをそのようなページ出力制御装置として動作させるページ出力制御プログラムを提供することを目的とする。
【課題を解決するための手段】
【０００６】
上記目的を達成する本発明のページ出力制御装置は、一連のページからなるページ群を取得するページ群取得部と、
上記ページ群を１部とする第１の部数と、その第１の部数よりも少ない第２の部数とを指定する部数指定部と、
ページを用紙上に記録して出力するページ出力装置に上記ページ群を上記第１の部数だけ出力させるとともに、そのページ出力装置に、何も記録されていない用紙を上記第２の部数毎に挿入して上記第１の部数だけ出力させる出力制御部とを備えたことを特徴とする。
【０００７】
本発明のページ出力制御装置によれば、上記ページ出力装置から出力されるページは、上記部数指定部で指定された部数毎に、何も記録されていない用紙が挟まれた状態で積まれることとなる。これにより、ページを複数部のページ群に仕分けする際に、何も記録されていない用紙を手掛かりに容易に作業を行なうことができる。例えば、上記部数指定部で１０部を指定しておけば、ページ群１００部に相当するページが積み重ねられた山を６０部と４０部とに仕分けするには、何も記録されていない用紙６枚分のページと、何も記録されていない用紙４枚分のページとに仕分けすれば良く作業が非常に簡単である。また、例えば、ページ群１００部に相当するページが積み重ねられた山を、２０部毎に５つのグループに仕分けする等といった際には、上記部数指定部で２０部を指定しておくことにより、ページの山を、何も記録されていない用紙で区切られた分毎に分けるだけで仕分けが完了することとなる。このように、本発明のページ出力制御装置によれば、出力後の仕分けの手間が抑えられるように、ページ出力装置におけるページ出力を制御することができる。
【０００８】
また、本発明のページ出力制御装置において、「上記出力制御部が、複数種類の用紙を有するページ出力装置を制御するものであって、そのページ出力装置に、上記第２の部数毎に挿入する用紙として、上記ページ群のページを記録する用紙とは異なる種類の用紙を使用させるものである」という形態は好ましい形態である。
【０００９】
この好ましい形態のページ出力制御装置によれば、上記第２の部数毎に挿入される用紙として、例えば、ページが記録される用紙とは色が異なる用紙や、あるいは、インデックス書込み用の突起を有するいわゆるタブ紙等を用い、仕分けの際にそれらの用紙による区切りが作業者に一目で認識できるようにすることにより、仕分け作業の一層の簡単化を図ることができる。
【００１０】
また、本発明のページ出力制御装置において、「上記出力制御部が、上記第２の部数毎の用紙の挿入に加えて、何も記録されていない用紙を１部毎にも挿入させるものである」という形態も好ましい形態である。
【００１１】
この好ましい形態のページ出力制御装置によれば、ページを複数部のページ群に容易に仕分けできるだけでなく、１部ごとの仕分けも容易に行なうことができ、仕分け作業の一層の簡単化を図ることができる。
【００１２】
また、上記目的を達成する本発明のページ出力制御プログラムは、コンピュータに組み込まれ、該コンピュータ上で、
一連のページからなるページ群を取得するページ群取得部と、
前記ページ群を１部とする第１の部数と、該第１の部数よりも少ない第２の部数とを指定する部数指定部と、
ページを用紙上に記録して出力するページ出力装置に前記ページ群を前記第１の部数だけ出力させるとともに、該ページ出力装置に、何も記録されていない用紙を前記第２の部数毎に挿入して前記第１の部数だけ出力させる出力制御部とを構築することを特徴とする。
【００１３】
この本発明のページ出力制御プログラムによれば、出力後の仕分けの手間が抑えられるように、ページ出力装置におけるページ出力を制御するページ出力制御装置を容易に実現することができる。
【００１４】
なお、本発明のページ出力制御プログラムについては、ここではその基本形態のみを示すのにとどめるが、これは単に重複を避けるためであり、本発明にいうページ出力制御プログラムには、前述したページ出力制御装置の各形態に対応する各種の形態が含まれる。
【発明の効果】
【００１５】
以上、説明したように、本発明によれば、出力後の仕分けの手間が抑えられるように、ページ出力装置におけるページ出力を制御することができる。
【発明を実施するための最良の形態】
【００１６】
以下図面を参照して本発明の実施の形態を説明する。
【００１７】
図１は、本発明の一実施形態が組み込まれた印刷システムを示す図である。
【００１８】
この図１には、編集装置３０１，３０２を構成するコンピュータと、ＲＩＰ装置１００を構成するコンピュータと、プリンタ２００とが示されている。
【００１９】
編集装置３０１，３０２では、印刷物を構成するページがデータ上で編集され、そのページを表わす画像データが通信網３００を介してＲＩＰ装置１００に送られてくる。
【００２０】
ＲＩＰ装置１００は、編集装置３０１，３０２から画像データを受け取り、その画像データをプリンタ２００用の、ラスタイメージで画像を表現した画像データ（ラスタデータ）に変換し、プリンタ２００に向けて出力するものである。なお画像データは、通信網３００を介して受け取られる以外に、ＣＤ−Ｒ（Ｃｏｍｐａｃｔ  Ｄｉｓｃ  Ｒｅｃｏｒｄａｂｌｅ）やＭＯ（光磁気）ディスク等といった記憶媒体が用いられて受け取られてもよい。また、ＲＩＰ装置１００は、編集装置３０１，３０２から、一連のページそれぞれを表わす複数の画像データを受け取り、一連のラスタデータに変換してプリンタ２００に向けて出力する際に、各ラスタデータが表わすページを順次に出力する。そして、それらのラスタデータが表わす一連のページを順次に出力する丁合出力を指示するとともに、それら一連のページからなるページ群を１部として、そのページ群を必要な部数だけ出力するようにプリンタ２００におけるページ出力を制御することができる。さらに、このように、ページ群を複数部数だけ出力する際には、何も記録されていない用紙を所望の部数毎に挿入して出力したり、そのような用紙を１部毎に挿入して出力したりするようにプリンタ２００におけるページ出力を制御して、出力後の仕分けの便を図ることができる。ここで、以下では、何も記録されていない用紙を所望の部数毎に挿入する処理を合紙挿入と呼び、その合紙挿入において挿入される用紙を合紙と呼ぶ。また、何も記録されていない用紙を１部毎に挿入する処理を用紙挿入と呼び、その用紙挿入において挿入される用紙については白紙と呼ぶ。これら合紙挿入と用紙挿入との詳細については別図を用いて後述する。このＲＩＰ装置１００は、本発明のページ出力制御装置の一実施形態に相当する。
【００２１】
プリンタ２００は、ＲＩＰ装置１００から画像データが送られてくると、電子写真方式によって、その画像データが表わす画像を、Ｃ（シアン）、Ｍ（マゼンタ）、Ｙ（イエロー）、Ｋ（ブラック）の４色のトナーで用紙上に出力する。また、このプリンタ２００は、収納される用紙の種類が互いに異なる３つのトレイ２０１，２０２，２０３を備えている。画像をどのトレイの用紙に出力するかは、ＲＩＰ装置１００において指定される。また、上記の合紙挿入あるいは用紙挿入の際にどのトレイの用紙をそれぞれ合紙あるいは白紙として使用するかも、ＲＩＰ装置１００において指定される。
【００２２】
この図１に示す印刷システムにおける、本発明の一実施形態としての特徴は、ＲＩＰ装置１００として動作するコンピュータにおける動作内容にある。そこで、以下では、ＲＩＰ装置１００に着目して説明を行う。
【００２３】
この図１に示すＲＩＰ装置１００は、上述したようにコンピュータで構成されており、このコンピュータは、ＣＰＵ、主記憶装置、ハードディスク、通信用ボード等が内蔵された本体１０１、この本体１０１からの指示により表示画面上に画像や文字列の表示を行うＣＲＴディスプレイ１０２、このコンピュータにユーザの指示や文字情報を入力するためのキーボード１０３、上記ＣＲＴディスプレイ１０２の表示画面上の任意の位置を指定することにより、その位置に表示されているアイコン等に応じた指示を入力するマウス１０４を備えている。
【００２４】
本体１０１には、ＣＤ−ＲＯＭ１０５（図１には図示せず；図２参照）やＣＤ−Ｒが取り出し自在に装填され、そのように装填されたＣＤ−ＲＯＭ１０５やＣＤ−Ｒに記憶された情報を再生するＣＤドライブが内蔵されている。また、本体１０１には、光磁気ディスク（ＭＯ）１０６（図１には図示せず；図２参照）が取り出し自在に装填され、そのように装填されたＭＯ１０６に対し情報の記録再生を行うＭＯドライブも内蔵されている。
【００２５】
図２は、ＲＩＰ装置を構成するコンピュータのハードウェア構成図である。
【００２６】
このハードウェア構成図には、ＣＰＵ（中央演算処理装置）１１１、ＲＡＭ１１２、ＨＤＤ（ハードディスクドライブ）１１３、ＭＯドライブ１１４、ＣＤドライブ１１５、および通信用ボード１１６が示されており、それらはバス１１０で相互に接続されている。
【００２７】
ＨＤＤ１１３は、記録媒体の一種であるハードディスク１２０を内蔵しており、このハードディスク１２０に対し情報の記録再生を行う。
【００２８】
通信用ボード１１６は、ＬＡＮ（Ｌｏｃａｌ  Ａｒｅａ  Ｎｅｔｗｏｒｋ）等といった通信回線に接続される。図１に示すＲＩＰ装置１００は、この通信用ボード１１６を介して接続される通信網３００によって他のコンピュータシステムとの間でデータの送受信を行うことができ、プリンタ２００に向けた画像データの出力を行うこともできる。
【００２９】
また、図２には、図示しない複数のＩ／Ｏインターフェースそれぞれを介してバス１１０に接続された、図１にも示したマウス１０４、キーボード１０３、ＣＲＴディスプレイ１０２が示されている。
【００３０】
ここでは、ＣＤ−ＲＯＭ１０５に、本発明のページ出力制御プログラムの一実施形態が記憶されている。このＣＤ−ＲＯＭ１０５は本体１０１内に装填され、そのＣＤ−ＲＯＭ１０５に記憶されたページ出力制御プログラムがＣＤドライブ１１５によって読み込まれ、バス１１０を経由してハードディスク１２０内にインストールされる。
【００３１】
このハードディスク１２０内にインストールされたページ出力制御プログラムが起動されると、このハードディスク１２０内のページ出力制御プログラムはＲＡＭ１１２にロードされ、ＣＰＵ１１１により実行される。本発明のページ出力制御プログラムの一実施形態が起動されて実行されると、ＲＩＰ装置１００は、本発明のページ出力制御装置の一実施形態として動作する。
【００３２】
また、図２では、ページ出力制御プログラムを記憶する記憶媒体としてＣＤ−ＲＯＭ１０５が例示されているが、本発明のページ出力制御プログラムを記憶する記憶媒体はＣＤ−ＲＯＭに限られるものではなく、それ以外の光ディスク、ＭＯ、フレキシブルディスク（ＦＤ）、磁気テープなどの記憶媒体であってもよい。また、本発明のページ出力制御プログラムは、記憶媒体を介さずに、通信網を介して直接にコンピュータに供給されるものであってもよい。
【００３３】
尚、以下の説明では、図１および図２に示す各構成要素については、特に図番を断らずに参照する。
【００３４】
図３は、本発明のページ出力制御プログラムの一実施形態を示す図である。
【００３５】
この図３には、本発明のページ出力制御プログラムの一実施形態であるページ出力制御プログラム５００が記憶されたＣＤ−ＲＯＭ１０５が示されている。
【００３６】
このページ出力制御プログラム５００は、図１に示すＲＩＰ装置１００のコンピュータ内で実行され、そのＲＩＰ装置１００を本発明のページ出力制御装置の一実施形態として動作させるものであり、ページ群取得部５１０と、出力条件設定部５２０と、出力制御部５３０。このページ出力制御プログラム５００の各要素の詳細については後述する。
【００３７】
図４は、図１に示すＲＩＰ装置の機能ブロック図である。
【００３８】
このＲＩＰ装置１００は、図３のページ出力制御プログラム５００がコンピュータにインストールされて実行されることによって構成されるものである。
【００３９】
ＲＩＰ装置１００は、ページ群取得部６１０と、出力条件設定部６２０と、出力制御部６３０とを有している。
【００４０】
ページ群取得部６１０、出力条件設定部６２０、および出力制御部６３０は、図３に示すページ出力制御プログラム５００を構成する、ページ群取得部５１０、出力条件設定部５２０、および出力制御部５３０のそれぞれがコンピュータに組み込まれることによってコンピュータ上に構築されたものであり、図４の各要素は図３の各要素にそれぞれ対応するが、図４の各要素は、コンピュータのハードウェアとそのコンピュータで実行されるＯＳやアプリケーションプログラムとの組合せで構成されているのに対し、図３に示すページ出力制御プログラムの各要素はそれらのうちのアプリケーションプログラムのみにより構成されている点が異なる。また、ページ群取得部６１０、出力条件設定部６２０、および出力制御部６３０は、それぞれ本発明のページ出力制御装置におけるページ群取得部、部数指定部、および出力制御部の各一例に相当する。
【００４１】
ページ群取得部６１０は、一連のページからなるページ群を１部として、それら一連のページそれぞれを表わす一連の画像データを取得する。取得された画像データはラスタデータに変換され、出力制御部６３０に渡される。
【００４２】
出力条件設定部６２０は、上記のページ群について、プリンタ２００で印刷物として出力させたい所望の部数、上記の丁合出力、上記の合紙挿入、および用紙挿入それぞれに関わる設定条件を含む様々な出力条件が、次のような設定画面に対するオペレータの入力操作によって指定される。
【００４３】
図５は、図１に示すプリンタにおける出力条件を設定する設定画面を示す図である。
【００４４】
以下、この図５に示す設定画面６４０について、所望の部数、丁合出力、合紙挿入、および用紙挿入に関わる設定条件の設定が行なわれる部分に注目して説明する。尚、この設定画面６４０には、他にも、印刷範囲や印刷に使用する色材等様々な設定が行なわれる部分が備えられているが、これらについては本発明の主題ではないので説明を省略する。
【００４５】
設定画面６４０には、コピー部数設定部６４１、印刷パターン設定部６４２、用紙選択部６４３、合紙挿入設定部６４４、用紙挿入設定部６４５、ＯＫボタン６４６、キャンセルボタン６４７、および実行ボタン６４８が備えられている。
【００４６】
コピー部数設定部６４１では、印刷物として出力させたい所望の部数が数値入力される。
【００４７】
印刷パターン設定部６４２では、画像を用紙の両面に出力するかあるいは片面に出力するか、丁合出力を実行するか否か、用紙に対する画像の向き、一連のページを昇順で出力するか降順で出力するか、および、ページ群に対する綴り処理を行なうか否かという５つの条件が設定される。本実施形態では、これら５つの条件の６種類の組合せの中から所望の１つを選ぶことができ、また、各条件を任意に設定することもできる。
【００４８】
用紙選択部６４３では、各ページの画像を、どのような用紙に出力するかが設定される。ここで、この用紙の設定は、トレイ選択用のプルダウンメニュー６４３ａを操作してプリンタ２００が備えている３つのトレイ２０１，２０２，２０３の中から所望のトレイを選択することでも行なえるし、あるいはメディア選択用のプルダウンメニュー６４３ｂを操作して用紙の種類そのものを指定することでも行なえる。
【００４９】
合紙挿入設定部６４４では、まず、合紙としてプリンタ２００の３つのトレイ２０１，２０２，２０３のうちのどのトレイの用紙を用いるかが、トレイ選択用のプルダウンメニュー６４４ａの操作によって設定される。また、合紙を何部毎に挿入するかが部数入力部６４４ｂに数値入力され、さらに、合紙を、入力された部数分のページの前後いずれの位置に挿入するかがラジオボタン６４４ｃに対するクリック操作によって行なわれる。
【００５０】
用紙挿入設定部６４５では、まず、挿入用の白紙を１部毎に挿入する際に、その１部の先頭に白紙を挿入するか否か、およびその１部の最後に白紙を挿入するか否かが、チェックボックス６４５ａに対するクリック操作によって行なわれる。次に、先頭に挿入する白紙および最後に挿入する白紙それぞれについて、プリンタ２００の３つのトレイ２０１，２０２，２０３のうちのどのトレイの用紙を用いるかが、トレイ選択用のプルダウンメニュー６４５ｂの操作によって設定される。
【００５１】
以上に説明した各操作を含む様々な設定操作が終了すると、それらの設定内容について承認する場合にはＯＫボタン６４６がクリックされ、キャンセルして設定をやり直す場合にはキャンセルボタン６４７がクリックされる。そして、ＯＫボタン６４６がクリックされた後に実行ボタン６４８がクリックされると、設定画面６４０で設定された各条件が図４の出力制御部６３０に渡され、それらの条件に基づく画像の出力が開始される。
【００５２】
出力制御部６３０は、プリンタ２００に向けて、ページ群取得部６１０から渡されたラスタデータを順次に、上記のコピー部数設定部６４１で入力された部数分だけ繰返し送る。また、その際には、用紙挿入設定部６４５で設定されたトレイの用紙を、挿入用の白紙として用い、その白紙を設定された挿入位置に挿入するようにプリンタ２００に指示し、さらに、合紙挿入設定部６４４で設定された部数毎に、設定された挿入位置に、設定されたトレイの用紙を合紙として挿入するようにプリンタ２００に指示する。
【００５３】
図６は、図４に示す出力制御部で実行される出力指示処理を表わすフローチャートである。以下の説明では、図１および図５に示す各要素については、特に図番を断らずに参照する。
【００５４】
この図６のフローチャートが示す出力指示処理は、図５に示す設定画面６４０において実行ボタン６４８がクリックされるとスタートする。
【００５５】
処理がスタートすると、まず、第１の部数カウンタがリセットされ（ステップＳ１０１）、続いて第２の部数カウンタがリセットされる（ステップＳ１０２）。
【００５６】
次に、合紙挿入設定部６４４において設定された合紙の挿入位置が、合紙挿入設定部６４４で入力された部数分のページからなる合紙用セットの前であるか否かが判定される（ステップＳ１０３）。合紙の挿入位置が合紙用セットの前であった場合（ステップＳ１０３におけるＹｅｓ判定）には、合紙挿入設定部６４４において合紙用のトレイに設定されたトレイの用紙を出力するようにプリンタ２００に指示が出され（ステップＳ１０４）、次の処理（ステップＳ１０５）に進む。一方、合紙の挿入位置が合紙用セットの後であった場合（ステップＳ１０３におけるＮｏ判定）には、ステップＳ１０４の処理を経ずにステップＳ１０５の処理に進む。
【００５７】
ステップＳ１０５では、用紙挿入設定部６４５で１部のページ群の先頭への白紙の挿入が設定されているか否かが判定される。先頭への白紙の挿入が設定されていた場合（ステップＳ１０５におけるＹｅｓ判定）には、用紙挿入設定部６４４において白紙用のトレイとして設定されたトレイの用紙を出力するようにプリンタ２００に指示が出され（ステップＳ１０６）、次の処理（ステップＳ１０７）に進む。一方、先頭への白紙の挿入が設定されていなかった場合（ステップＳ１０５におけるＮｏ判定）には、ステップＳ１０６の処理を経ずにステップＳ１０７の処理に進む。
【００５８】
ステップＳ１０７では、一連のページそれぞれを表わすラスタデータが順次にプリンタ２００に送られる。このとき、印刷パターン設定部６４２で、一連のページの出力順が昇順に設定されていれば、ラスタデータは昇順で送られ、出力順が降順に設定されていれば、ラスタデータは降順で送られる。
【００５９】
ステップＳ１０７の処理で一連のページ分のラスタデータが送られると、第１の部数カウンタが１だけ加算され（ステップＳ１０８）、続いて第２の部数カウンタも１だけ加算される（ステップＳ１０９）。
【００６０】
次に、用紙挿入設定部６４５で１部のページ群の最後への白紙の挿入が設定されているか否かが判定される。最後への用紙の挿入が設定されていた場合（ステップＳ１１０におけるＹｅｓ判定）には、用紙挿入設定部６４４において設定されたトレイの用紙を出力するようにプリンタ２００に指示が出され（ステップＳ１１１）、次の処理（ステップＳ１１２）に進む。一方、最後への白紙の挿入が設定されていなかった場合（ステップＳ１１０におけるＮｏ判定）には、ステップＳ１１１の処理を経ずにステップＳ１１２の処理に進む。
【００６１】
ステップＳ１１２の処理では、第１の部数カウンタが、コピー部数設定部６４１で設定された所望の部数に達したか否かが判定される。このステップＳ１１２の処理で、第１の部数カウンタが、その所望の部数にまだ達していないと判定された場合（ステップＳ１１２におけるＮｏ判定）には、第２の部数カウンタが、合紙挿入設定部６４４で設定された、合紙を挿入する部数に達したか否かが判定される（ステップＳ１１３）。
【００６２】
ステップＳ１１３の処理で、第２の部数カウンタが、合紙を挿入する部数にまだ達していないと判定される間（ステップＳ１１３におけるＮｏ判定）は、ステップＳ１０５に処理が戻る。
【００６３】
一方、このステップＳ１１３の処理で、第２の部数カウンタが、合紙を挿入する部数に達したと判定される（ステップＳ１１３におけるＹｅｓ判定）と、次に、合紙挿入設定部６４４において設定された合紙の挿入位置が、合紙挿入設定部６４４で入力された部数分のページからなる合紙用セットの後であるか否かが判定される（ステップＳ１１４）。合紙の挿入位置が合紙用セットの後であった場合（ステップＳ１１４におけるＹｅｓ判定）には、合紙挿入設定部６４４において合紙用のトレイに設定されたトレイの用紙を出力するようにプリンタ２００に指示が出され（ステップＳ１１５）、ステップＳ１０２まで処理を戻って、ステップＳ１０２〜ステップＳ１１５までの処理を繰り返す。これらの処理は、上記のステップＳ１１２の処理で、第１の部数カウンタが、コピー部数設定部６４１で設定された所望の部数に達したと判定される（ステップＳ１１２におけるＹｅｓ判定）まで続けられる。そして、第１の部数カウンタが、その所望の部数に達したと判定される（ステップＳ１１２におけるＹｅｓ判定）と、この出力指示処理が終了する。
【００６４】
以上に説明したフローチャートが示す出力指示処理が出力制御部６３０において実行されると、プリンタ２００においてページが次のように出力される。
【００６５】
図７は、図６のフローチャートが示す出力指示処理が実行されたときに図１のプリンタから出力されたページが積み重ねられた様子を示す模式図である。
【００６６】
この図７には、図５のコピー部数設定部６４１において印刷物として出力させたい所望の部数が１００に設定され、合紙挿入設定部６４４において合紙を２０部毎に、２０部のページ群の先頭に挿入するように設定され、さらに、用紙挿入設定部６４５において白紙を各部のページ群の先頭に挿入するように設定された時にプリンタから出力されたページ群が示されている。
【００６７】
このような設定に従ってページが出力されると、まず、最初に合紙Ｐａが１枚出力され、次に白紙Ｐｂが１枚出力され、１部のページ群Ｐｃが出力される。白紙Ｐｂの出力と、１部のページ群Ｐｃの出力が２０回繰り返されると、再び合紙Ｐａが１枚出力される。そして、出力されたページ群Ｐｃの数が１００部に達すると出力が停止する。このように積み重ねられたページは、２０部毎に合紙Ｐａが挿入されているため、例えば１００部のページ群Ｐｃを２０部毎に仕分けしたり、あるいは１００部のページ群Ｐｃを４０部と６０部に仕分けする等といった仕分け作業が容易である。また、１部毎に白紙Ｐｂが挿入されているため、各部のページ群を容易に取り出すことができる。
【００６８】
また、本実施形態では、上述したように、合紙挿入設定部６４４において合紙Ｐａとしてプリンタ２００の３つのトレイ２０１，２０２，２０３のうちのどのトレイの用紙を用いるかが設定され、用紙挿入設定部６４５において白紙Ｐｂとして３つのトレイ２０１，２０２，２０３のうちのどのトレイの用紙を用いるかが設定される。ここで、合紙Ｐａ用に設定されたトレイに、ページ記録用の用紙や、白紙等とは色が異なる用紙や、あるいは、インデックス書込み用の突起を有するいわゆるタブ紙をセットしておくことで、合紙Ｐａによる仕分けを一層簡単なものにすることができる。
【００６９】
以上に説明したように、本実施形態のＲＩＰ装置１００によれば、出力後の仕分けの手間が抑えられるように、プリンタ２００におけるページ出力を制御することができる。
【００７０】
尚、上記では、本発明のページ出力制御装置の一実施形態として、プリンタに合紙挿入と用紙挿入とを共に実行させるＲＩＰ装置１００を示したが、本発明はこれに限るものではなく、本発明のページ出力制御装置は、プリンタに合紙挿入のみを実行させるものであっても良い。
【００７１】
また、上記では、本発明にいう部数指定部の一例として、記録用の用紙についてはプリンタ中のどのトレイの用紙を用いるか、あるいはどのような種類の用紙を用いるかを設定し、合紙および挿入用の白紙についてはプリンタ中のどのトレイの用紙を用いるかのみを設定する出力条件設定部６２０を例示したが、本発明はこれに限るものではなく、本発明の部数指定部は、合紙および挿入用の白紙についても、使用する用紙の種類を設定するものであっても良い。また、本発明の部数指定部は、記録用の用紙、合紙、および挿入用の白紙それぞれについて、使用する用紙の種類あるいはそのような用紙が納められたトレイが予め固定的に設定されているものであっても良い。
【図面の簡単な説明】
【００７２】
【図１】本発明の一実施形態が組み込まれた印刷システムを示す図である。
【図２】ＲＩＰ装置を構成するコンピュータのハードウェア構成図である。
【図３】本発明のページ出力制御プログラムの一実施形態を示す図である。
【図４】図１に示すＲＩＰ装置の機能ブロック図である。
【図５】図１に示すプリンタにおける出力条件を設定する設定画面を示す図である。
【図６】図４に示す出力制御部で実行される出力指示処理を表わすフローチャートである。
【図７】図６のフローチャートが示す出力指示処理が実行されたときに図１のプリンタから出力されたページが積み重ねられた様子を示す模式図である。
【符号の説明】
【００７３】
１００    ＲＩＰ装置
１０１    本体
１０２    ＣＲＴディスプレイ
１０３    キーボード
１０４    マウス
１０５    ＣＤ−ＲＯＭ
１０６    ＭＯ
１１０    バス
１１１    ＣＰＵ
１１２    ＲＡＭ
１１３    ＨＤＤ
１１４    ＭＯドライブ
１１５    ＣＤドライブ
１１６    通信用ボード
１２０    ハードディスク
２００    プリンタ
２０１，２０２，２０３    トレイ
３００    通信網
３０１，３０２    編集装置
５００    ページ出力制御プログラム
５１０    ページ群取得部
５２０    出力条件設定部
５３０    出力制御部
６１０    ページ群取得部
６２０    出力条件設定部
６３０    出力制御部
６４０    設定画面
６４１    コピー部数設定部
６４２    印刷パターン設定部
６４３    用紙選択部
６４３ａ    トレイ選択用のプルダウンメニュー
６４３ｂ    メディア選択用のプルダウンメニュー
６４４    合紙挿入設定部
６４４ａ    トレイ選択用のプルダウンメニュー
６４４ｂ    部数入力部
６４４ｃ    ラジオボタン
６４５    用紙挿入設定部
６４５ａ    チェックボックス
６４５ｂ    トレイ選択用のプルダウンメニュー
６４６    ＯＫボタン
６４７    キャンセルボタン
６４８    実行ボタン
【図１】
2006323584.tif 000003
【図２】
2006323584.tif 000004
【図３】
2006323584.tif 000005
【図４】
2006323584.tif 000006
【図５】
2006323584.tif 000007
【図６】
2006323584.tif 000008
【図７】
2006323584.tif 000009